(57)【特許請求の範囲】
【請求項１】
第１取付具および筒状の第２取付具と、
前記第１取付具と前記第２取付具とを連結するゴム状弾性体から構成される防振基体と、
前記第２取付具に取り付けられて前記防振基体との間に液体が封入された液室を形成するゴム状弾性体から構成されるダイヤフラムと、
前記液室を前記防振基体側の第１液室と前記ダイヤフラム側の第２液室とに仕切る仕切体とを備え、
前記仕切体は、前記第２液室と前記第１液室とを連通するオリフィスを形成する、前記第２取付具の内側に配置される環状のオリフィス形成部材と、
前記オリフィス形成部材に周囲が接着されるゴム状弾性体から構成される弾性壁と、
前記弾性壁の中央を貫通する連結部を介して互いに連結される、前記第１液室に面する第１仕切板および前記第２液室に面する第２仕切板とを備え、
前記第１仕切板は、前記連結部の周囲に位置し無負荷状態で前記弾性壁に接触する第１接触部を備え、
前記第２仕切板は、前記連結部の周囲に位置し無負荷状態で前記弾性壁に接触する第２接触部を備え、
前記第２接触部は、軸方向に投影した投影面の外縁の大きさが、軸方向に投影した前記第１接触部の投影面の外縁より小さく設定されることを特徴とする液封入式防振装置。
【請求項２】
前記第２仕切板は、前記第２接触部に連接されると共に前記第２接触部の周囲に位置する周辺部を備え、
前記周辺部は、前記弾性壁と軸方向の距離を隔てて配置されることを特徴とする請求項１記載の液封入式防振装置。
【発明の詳細な説明】
【技術分野】
【０００１】
本発明は液封入式防振装置に関し、特に異音の発生を抑制できる液封入式防振装置に関するものである。
【背景技術】
【０００２】
従来から、第１取付具と筒状の第２取付具とを連結する防振基体と、第２取付具に取り付けられて防振基体との間に液体が封入される液室を形成するダイヤフラムと、液室を防振基体側の第１液室とダイヤフラム側の第２液室とに仕切る仕切体と、第１液室と第２液室とを連通するオリフィスとを備える液封入式防振装置が知られている。この種の液封入式防振装置において、仕切体が、オリフィスを形成する環状のオリフィス形成部材と、オリフィス形成部材に加硫接着されると共にオリフィス形成部材の内周面の内側を塞ぐゴム状の弾性壁と、弾性壁に貫通する連結部を介して互いに連結されることで弾性壁を軸方向の両側から挟む一対の仕切板とを備えるものがある（特許文献１）。
【０００３】
特許文献１に開示される技術では、第１液室に面する一方の仕切板（第１仕切板）は、第２液室に面する他方の仕切板（第２仕切板）より外形が小さく形成されている。これにより、第１液室の加圧変位（圧縮入力）時は第１仕切板により弾性壁の変位規制効果を抑制できるので、第１液室が過度の加圧状態になることを防止できる。一方、第１液室の負圧変位（引張入力）時は、第２仕切板により弾性壁の変位を規制し、オリフィスを流動する液体の共振現象を利用して高い減衰係数を得ることができる。
【先行技術文献】
【特許文献】
【０００４】
【特許文献１】特開２００７−２１１９７２号公報
【発明の概要】
【発明が解決しようとする課題】
【０００５】
しかしながら上述した従来の技術では、第１液室の負圧変位（圧縮入力）時に第２仕切板により弾性壁の変位が規制されるので、第１液室が過度の負圧状態になって圧力が液体の飽和水蒸気圧を下回ると、発生した気泡が消滅するときに衝撃音（異音）が生じるという問題点がある。
【０００６】
本発明は上述した問題点を解決するためになされたものであり、第１液室の負圧変位時の異音の発生を抑制できる液封入式防振装置を提供することを目的としている。
【課題を解決するための手段および発明の効果】
【０００７】
この目的を達成するために請求項１記載の液封入式防振装置によれば、第１取付具と筒状の第２取付具とがゴム状弾性体から構成される防振基体で連結される。ゴム状弾性体から構成されるダイヤフラムが第２取付具に取り付けられ、防振基体との間に液体が封入された液室が形成される。仕切体により液室は防振基体側の第１液室とダイヤフラム側の第２液室とに仕切られる。仕切体は、第２液室と第１液室とを連通するオリフィスを形成する環状のオリフィス形成部材が、第２取付具の内側に配置される。ゴム状弾性体から構成される弾性壁の周囲がオリフィス形成部材に接着され、第１液室に面する第１仕切板および第２液室に面する第２仕切板が、弾性壁の中央を貫通する連結部を介して互いに連結される。第１仕切板は連結部の周囲に位置する第１接触部が無負荷状態で弾性壁に接触し、第２仕切板は連結部の周囲に位置する第２接触部が無負荷状態で弾性壁に接触する。第２接触部は、軸方向に投影した投影面の外縁の大きさが、軸方向に投影した第１接触部の投影面の外縁より小さく設定されるので、第１液室の負圧変位時に第２仕切板により弾性壁の変位規制効果を抑制できる。弾性壁の変位によって、第１液室が過度の負圧状態になることを抑制できるので、第１液室の負圧変位時の異音の発生を抑制できる効果がある。
【０００８】
請求項２記載の液封入式防振装置によれば、第２仕切板は第２接触部の周囲に位置する周辺部が第２接触部に連接される。周辺部は弾性壁と軸方向の距離を隔てて配置されるので、第１液室の負圧変位時の弾性壁の変形量が小さいときは、弾性壁は周辺部により変形が規制されない。弾性壁の変形量が大きくなって弾性壁と周辺部とが干渉すると、弾性壁は変形が規制される。周辺部によって弾性壁の過度の変形を抑制できるので、請求項１の効果に加え、弾性壁の耐久性を確保できる効果がある。
【図面の簡単な説明】
【０００９】
【図１】本発明の第１実施の形態における液封入式防振装置の軸方向断面図である。
【図２】第１仕切板側から見た仕切体の分解立体図である。
【図３】第２仕切板側から見た仕切体の分解立体図である。
【図４】仕切体の軸方向断面図である。
【図５】第２実施の形態における液封入式防振装置の仕切体の軸方向断面図である。
【図６】仕切体の分解立体図である。
【図７】第３実施の形態における液封入式防振装置の仕切体の軸方向断面図である。
【図８】仕切体の分解立体図である。
【発明を実施するための形態】
【００１０】
以下、本発明の好ましい実施の形態について添付図面を参照して説明する。まず、図１を参照して液封入式防振装置１０の構造について説明する。図１は本発明の第１実施の形態における液封入式防振装置１０の軸方向断面図である。なお、図１ではエンジンを支持する前の状態（即ち、エンジンの重量が負荷される前の無負荷状態）を図示している。
【００１１】
液封入式防振装置１０は、自動車のエンジン（振動体、図示せず）を支持固定しつつ、そのエンジンの振動を車体フレーム（図示せず）へ伝達させないようにするための防振装置であり、図１に示すように、エンジン側に取り付けられる第１取付具１１と、エンジン下方の車体フレーム側に取付けられる筒状の第２取付具１３と、これらを連結すると共にゴム状弾性体から構成される防振基体１７と、第２取付具１３に取付けられて防振基体１７との間に液室（第１液室２３及び第２液室２４）を形成すると共にゴム状弾性体から構成されるダイヤフラム２０とを備えている。
【００１２】
第１取付具１１は、アルミニウム合金などの金属材料から略円柱状に形成される部材であり、その上端面にボルトが螺着されるねじ穴１２が形成されている。ねじ穴１２に螺着されるボルトを介して第１取付具１１はエンジン側に取り付けられる。第２取付具１３は、防振基体１７が加硫成形される筒状金具１４と、その筒状金具１４の下方にかしめ加工により固着される底金具１５とを備えている。筒状金具１４は上広がりの開口を有する筒状に、底金具１５は底部を有するカップ状に、それぞれ鉄鋼材料などから形成されている。底金具１５の底部にボルト１６が下向きに突設されている。このボルト１６を介して第２取付具１３は車体側に取り付けられる。
【００１３】
防振基体１７は、ゴム状弾性体から円錐台形状に形成される部材であり、第１取付具１１の下面側と筒状金具１４の上端開口部との間に加硫接着されている。防振基体１７の下端部には、筒状金具１４の内周面を覆うゴム膜１８，１９が連なっている。ゴム膜１９は、内径が、ゴム膜１８の内径より大きい段差状に形成されている。
【００１４】
ダイヤフラム２０は、ゴム状弾性体から蛇腹状に屈曲したゴム膜として形成されており、上面視円環状の取付板２１に外周が加硫接着されている。ダイヤフラム２０は、取付板２１が、筒状金具１４により底金具１５と共にかしめ加工により狭持固定されることで、第２取付具１３に取着される。その結果、ダイヤフラム２０の上面側と防振基体１７の下面側との間に液室が形成される。液室には、エチレングリコール等の不凍性の液体（図示せず）が封入される。
【００１５】
仕切体３０は、液室を防振基体１７側の第１液室２３とダイヤフラム２０側の第２液室２４とに区画するための部材であり、防振基体１７とダイヤフラム２０との間に配設される。仕切体３０は、第２取付具１３の内側に配置される環状のオリフィス形成部材３１と、オリフィス形成部材３１の内周面４０で囲まれた部分を塞ぐ弾性壁５０と、弾性壁５０を軸方向の両側から挟む第１仕切板６０及び第２仕切板７０とを備えている。
【００１６】
図２から図４を参照して仕切体３０について説明する。図２は第１仕切板６０側から見た仕切体３０の分解立体図であり、図３は第２仕切板７０側から見た仕切体３０の分解立体図であり、図４は仕切体３０の軸方向断面図である。
【００１７】
図２及び図３に示すように仕切体３０の外郭を構成するオリフィス形成部材３１は、第２取付具１３の内周面（ゴム膜１９）との間に周方向へ延びるオリフィス２５（図１参照）を形成するための剛体からなる部材であり、軸心Ｏと直交して配置される円環状の壁部３２と、壁部３２の内周に連設されると共に軸心Ｏ方向（軸方向）へ延びる筒状の胴部３４と、胴部３４の下端部から径方向外方へフランジ状に張り出す壁部３５とを備えている。
【００１８】
オリフィス形成部材３１は、壁部３２，３５に切欠部３３、開口部３６がそれぞれ凹欠形成される。壁部３２，３５及び胴部３４を接続し切欠部３３と開口部３６とを隔てる縦壁３７がオリフィス形成部材３１に設けられるので、オリフィス２５（図１参照）は、縦壁３７により周方向に分断され、切欠部３３を介して第１液室２３に連通されると共に、開口部３６を介して第２液室２４に連通される。即ち、オリフィス形成部材３１により切欠部３３から開口部３６まで約１周の流路長をもつオリフィス２５が形成される。オリフィス形成部材３１は、軸方向において壁部３２を挟んで胴部３４の反対側に延出する円環状の延出部３８と、延出部３８を挟んで壁部３２と反対側の延出部３８の径方向内側に突出する円環状の凸部３９とが設けられている。
【００１９】
図４に示すように、弾性壁５０はゴム状弾性体から構成される部材であり、オリフィス形成部材３１の延出部３８及び凸部３９の内周面４０に外周面が加硫接着されている。弾性壁５０はオリフィス形成部材３１に加硫接着される膜状の部材であり、壁面５１，５２がそれぞれ第１液室２３、第２液室２４に面する。弾性壁５０は、径方向中央を厚さ方向（軸心Ｏ方向）に貫通する円形の中央孔５３が形成されており、軸方向両側へ突出する円環状の突条５４が、中央孔５３の周囲に設けられている。弾性壁５０は、突条５４近くの軸方向厚さ（壁面５１，５２間の距離）よりオリフィス形成部材３１近くの軸方向厚さが大きく設定されており、延出部３８から軸心Ｏ方向へ隆起する円環状の隆起部５５が設けられている。
【００２０】
弾性壁５０は、湾曲面状に形成された壁面５１，５２の内、第２液室２４に面する壁面５２に、軸方向に陥没する凹部５６が形成されている。凹部５６は、弾性壁５０の周方向に断続的に複数個（本実施の形態では４個）が等間隔に設けられている。凹部５６は、軸方向視が略扇状に形成されており、弾性壁５０の中心（中央孔５３の中心）を通る軸心Ｏとオリフィス形成部材３１の内周面４０とを結ぶ線分の中点より外周側に設けられている。
【００２１】
図２に戻って説明する。第１仕切板６０及び第２仕切板７０は、軸方向視において外形が弾性壁５０の外形（オリフィス形成部材３１の内周面４０の大きさ）より小さく設定された略円形状の部材である。第１仕切板６０は中央部６１及び外周部６４が熱可塑性樹脂により一体に成形されており、第２仕切板７０は中央部７１が熱可塑性樹脂により成形されている。中央部６１，７１は、弾性壁５０の突条５４の軸方向の両側が嵌合する環状溝６２，７２がそれぞれ形成されている。
【００２２】
第２仕切板７０は、軸方向へ向けて突出する連結部７３が、中央部７１の中央に設けられており、第１仕切板６０は、中央部６１の中央に連結部７３が嵌合する嵌合凹部６３が形成されている。連結部７３が嵌合凹部６３に嵌合した状態で超音波溶着により固定されることで第１仕切板６０と第２仕切板７０とは連結され、弾性壁５０は第１仕切板６０及び第２仕切板７０によって軸方向の両側から挟まれる。
【００２３】
第１仕切板６０は、外周部６４が、弾性壁５０の壁面５１に径方向内側の面が密着し、径方向外側の面が壁面５１から離れるように湾曲している。第１仕切板６０は、中央部６１の全体および外周部６４の径方向内側の一部が、無負荷状態（エンジンの重量が負荷される前の状態）で弾性壁５０の壁面５１に接触する第１接触部６５を構成する。第２仕切板７０は、中央部７１の全体が、無負荷状態で弾性壁５０の壁面５２に接触する第２接触部７４を構成する。第２接触部７４は、軸方向に投影した投影面の大きさが、軸方向に投影した第１接触部６５の投影面より小さく設定されている。なお、第１仕切板６０は、第１接触部６５の外縁が、弾性壁５０に形成された凹部５６（凹部５６の外側の縁）より径方向内側に位置する。
【００２４】
次に液封入式防振装置１０（図１参照）の製造方法について説明する。まず、第１取付具１１と筒状金具１４とが防振基体１７により連結された第１成形体と、ダイヤフラム２０が加硫成形されると共に取付板２１が加硫接着された第２成形体とを、ゴム加硫金型によりそれぞれ加硫成形する。これとは別に、ゴム加硫金型により弾性壁５０を加硫成形して、オリフィス形成部材３１に弾性壁５０を接着する。弾性壁５０の表裏両側から第１仕切板６０及び第２仕切板７０を挟み込み、超音波溶着により連結部７３を固着することで仕切体３０を製造する。
【００２５】
液体中で、第１成形体の下方開口から仕切体３０を第１仕切板６０側から筒状金具１４内へ挿入した後、筒状金具１４内へ第２成形体を挿入する。筒状金具１４を縮径加工して、筒状金具１４に仕切体３０及びダイヤフラム２０を取り付ける。その後、第１取付具１１が下方となる姿勢で、この部材を液体外へ取り出し、この姿勢を維持しつつ底金具１５を被せ、筒状金具１４の下方開口に底金具１５をかしめ加工により固着する。これにより液封入式防振装置１０の製造が完了する。
【００２６】
次に液封入式防振装置１０の動作について説明する。液封入式防振装置１０に高周波数域の微振幅振動が入力される場合は、第１仕切板６０及び第２仕切板７０が一体となって往復動することで、第１液室２３の液圧を吸収して振動を低減できる。
【００２７】
一方、液封入式防振装置１０に低周波数域の大振幅振動が入力される場合に、第１液室２３の加圧変位（防振基体１７の圧縮入力）時は、第１仕切板６０（特に第１接触部６５）により弾性壁５０の変位が規制されるので、オリフィス２５を流動する液体の共振現象を利用して高い減衰係数を得ることができる。第１液室２３の負圧変位（防振基体１７の引張入力）時は、第２仕切板７０による弾性壁５０の変位を規制する効果が乏しいので、弾性壁５０を第１液室２３側へ撓み変形し易くできる。弾性壁５０の変形により第１液室２３の急激な減圧を防ぐので、第１液室２３にキャビテーションを生じ難くすることができ、衝撃音（異音）の発生を抑制できる。
【００２８】
オリフィス形成部材３１は、径方向内方へ向けて突出する凸部３９が設けられているので、弾性壁５０の付け根の部分（外周部分）の剛性を上げて、低周波大振幅時の弾性壁５０の変位を規制する効果を向上できる。さらに、隆起部５５も弾性壁５０の付け根の部分の剛性を高める効果がある。
【００２９】
弾性壁５０は、壁面５２に凹部５６が形成されることで厚さを部分的に薄くできるので、撓み変形させ易くでき、弾性壁５０のばねを軟らかくできる。弾性壁５０に取り付けられた第１仕切板６０は、第１接触部６５の外縁が凹部５６より径方向内側に位置するので、第１接触部６５が弾性壁５０の変形を制限する機能を抑制できる。よって、凹部５６により弾性壁５０のばねを軟らかくできる。
【００３０】
弾性壁５０は中央に突条５４が形成されているので、弾性壁５０の中央の剛性を確保できる。剛性の高い突条５４に中央部７１が取り付けられた第２仕切板７０が第１仕切板６０に連結されるので、第１仕切板６０が壁面５１の上で不安定に揺れ動くことを防止できる。その結果、液封入式防振装置１０による安定した振動低減効果を確保できる。
【００３１】
次に図５及び図６を参照して第２実施の形態について説明する。第１実施の形態では、第２仕切板７０が外周部を有していない場合について説明した。これに対し第２実施の形態では、第２仕切板９０が外周部９１を有する場合について説明する。なお、第１実施の形態で説明した部分と同一の部分については、同一の符号を付して以下の説明を省略する。図５は第２実施の形態における液封入式防振装置の仕切体８０の軸方向断面図であり、図６は仕切体８０の分解立体図である。仕切体８０は、第１実施の形態で説明した液封入式防振装置１０の仕切体３０に代えて装着される。仕切体８０は、オリフィス形成部材３１と、オリフィス形成部材３１に加硫接着された弾性壁５０と、弾性壁５０を軸方向の両側から挟む第１仕切板６０及び第２仕切板９０とを備えている。
【００３２】
第２仕切板９０は、軸方向視において外形が弾性壁５０の外形（オリフィス形成部材３１の内周面４０の大きさ）より小さく設定された略円形状の部材である。第２仕切板９０は中央部７１及び外周部９１が熱可塑性樹脂により一体に成形されている。第２仕切板９０は、外周部９１が、弾性壁５０の突条５４の外側の壁面５２に全面（凹部５６を除く）が密着する円板状に形成されている。第２仕切板９０は、中央部７１及び外周部９１の全体が、無負荷状態（エンジンの重量が負荷される前の状態）で弾性壁５０の壁面５２に接触する第２接触部９２を構成する。第２接触部９２は、軸方向に投影した投影面の大きさが、軸方向に投影した第１接触部６５の投影面より小さく設定されている。なお、第２仕切板９０は、第２接触部９２の外縁が、弾性壁５０に形成された凹部５６の径方向外側の縁より中心側（連結部７３側）に位置する。
【００３３】
第２実施の形態によれば、高周波数域の微振幅振動が入力される場合は、第１仕切板６０及び第２仕切板９０が一体となって往復動することで、第１液室２３の液圧を吸収して振動を低減できる。一方、低周波数域の大振幅振動が入力される場合に、第１液室２３の加圧変位（防振基体１７の圧縮入力）時は、第１仕切板６０（特に第１接触部６５）により弾性壁５０の変位が規制されるので、オリフィス２５により高い減衰係数を得ることができる。第１液室２３の負圧変位（防振基体１７の引張入力）時は、第１仕切板６０に比べて第２仕切板９０による弾性壁５０の変位を規制する効果が乏しいので、弾性壁５０を第１液室２３側へ撓み変形し易くできる。弾性壁５０の変形により第１液室２３の急激な減圧を防ぎ、第１液室２３にキャビテーションを生じ難くできる。第２接触部９２は突条５４の周囲の壁面５２に接触しているので、弾性壁５０の第１液室２３側への撓み変形量を制限できる。よって、キャビテーションの抑制と弾性壁５０の耐久性の確保とを両立できる。
【００３４】
凹部５６は弾性壁５０の壁面５２の周方向に断続的に設けられているので、隣り合う凹部５６間の部分（陥没していない部分）は、第２仕切板９０が軸方向に振動する間も第２仕切板９０（第２接触部９２）に接触した状態を維持できる。よって、弾性壁５０と第２仕切板９０との干渉（打撃）に起因する異音を抑制できる。
【００３５】
弾性壁５０に取り付けられた第２仕切板９０は、第２接触部９２の外縁が凹部５６（径方向外側の縁）より径方向内側に位置するので、第２接触部９２が弾性壁５０の変形を制限する機能を抑制できる。よって、凹部５６により弾性壁５０のばねを軟らかくできる。
【００３６】
弾性壁５０に形成された凹部５６は、弾性壁５０に荷重がかけられていない中立位置（無負荷状態）で、径方向外側の縁部（壁面５２）が第２仕切板９０に密着することなく、第２仕切板９０との間で隙間が確保されている。その隙間に、オリフィス２５よりも高周波数域で作用する高周波オリフィスとしての機能をもたせることができる。この部分で特定の周波数帯における液共振を生じさせ、当該周波数帯の動ばね定数を低減できる。凹部５６の数や大きさ、隙間の大きさや長さ等を変えることで、特性のチューニングが可能である。
【００３７】
次に図７及び図８を参照して第３実施の形態について説明する。第２実施の形態では、無負荷状態において第２仕切板９０が弾性壁５０（凹部５６を除く）に密着する場合について説明した。これに対し第３実施の形態では、第２仕切板１００の径方向外側が弾性壁５０と離間する場合について説明する。なお、第１及び第２実施の形態で説明した部分と同一の部分については、同一の符号を付して以下の説明を省略する。図７は第３実施の形態における液封入式防振装置の仕切体８１の軸方向断面図であり、図８は仕切体８１の分解立体図である。仕切体８１は、第１実施の形態で説明した液封入式防振装置１０の仕切体３０に代えて装着される。仕切体８１は、オリフィス形成部材３１と、オリフィス形成部材３１に加硫接着された弾性壁５０と、弾性壁５０を軸方向の両側から挟む第１仕切板６０及び第２仕切板１００とを備えている。
【００３８】
第２仕切板１００は、軸方向視において外形が弾性壁５０の外形（オリフィス形成部材３１の内周面４０の大きさ）より小さく設定された略碗状の部材である。第２仕切板１００は中央部７１及び外周部１０１が熱可塑性樹脂により一体に成形されている。第２仕切板１００は、外周部１０１が、弾性壁５０の突条５４の外側の壁面５２に内周縁が密着し、径方向外側へ向かうにつれて次第に壁面５２から離れる湾曲状に形成されている。
【００３９】
第２仕切板１００は、中央部７１の全体が、無負荷状態（エンジンの重量が負荷される前の状態）で弾性壁５０の壁面５２に接触する第２接触部１０２を構成する。第２接触部１０２は、軸方向に投影した投影面の大きさが、軸方向に投影した第１接触部６５の投影面より小さく設定されている。なお、第２仕切板１００は、第２接触部１０２の外縁が、弾性壁５０に形成された凹部５６の径方向外側の縁より中心側（連結部７３側）に位置する。
【００４０】
第２仕切板１００は、第２接触部１０２に連接される周辺部１０３が、第２接触部１０２の周囲に位置する。周辺部１０３は弾性壁５０と軸方向の距離を隔てて配置される部位であり、本実施の形態では、軸方向の距離が、径方向外側へ向かうにつれて次第に大きくなる湾曲状に形成されている。周辺部１０３は、曲率が、弾性壁５０の壁面５２の曲率より大きく設定されている。周辺部１０３は、外縁が、凹部５６の径方向外側の縁より径方向の外側に位置する。
【００４１】
第３実施の形態によれば、高周波数域の微振幅振動が入力される場合は、第１仕切板６０及び第２仕切板１００が一体となって往復動することで、第１液室２３の液圧を吸収して振動を低減できる。一方、低周波数域の大振幅振動が入力される場合に、第１液室２３の加圧変位（防振基体１７の圧縮入力）時は、第１仕切板６０（特に第１接触部６５）により弾性壁５０の変位が規制されるので、オリフィス２５により高い減衰係数を得ることができる。第１液室２３の負圧変位（防振基体１７の引張入力）時は、第１仕切板６０に比べて第２仕切板１００による弾性壁５０の変位を規制する効果が乏しいので、弾性壁５０を第１液室２３側へ撓み変形し易くできる。弾性壁５０の変形により第１液室２３の急激な減圧を防ぎ、第１液室２３にキャビテーションを生じ難くできる。
【００４２】
第２仕切板１００は、第２接触部１０２の外側に周辺部１０３が形成されており、周辺部１０３は弾性壁５０と軸方向の距離を隔てているので、周辺部１０３と弾性壁５０との間隔により弾性壁５０の弾性変形量を確保し、弾性壁５０と周辺部１０３とが干渉した場合に弾性壁５０の変位を規制できる。弾性壁５０の第１液室２３側への撓み変形量を制限できるので、キャビテーションの抑制効果を高めつつ、弾性壁５０の耐久性を確保できる。
【００４３】
弾性壁５０に取り付けられた第２仕切板１００は、第２接触部１０２の外縁が凹部５６（径方向外側の縁）より径方向内側に位置するので、第２接触部１０２が弾性壁５０の変形を制限する機能を抑制できる。よって、凹部５６により弾性壁５０のばねを軟らかくできる。
【００４４】
弾性壁５０に形成された凹部５６は、弾性壁５０に荷重がかけられていない中立位置（無負荷状態）で、径方向外側の縁部（壁面５２）が第２仕切板１００に密着することなく、第２仕切板１００との間で隙間が確保されている。その隙間に、オリフィス２５よりも高周波数域で作用する高周波オリフィスとしての機能をもたせることができる。なお、大振幅振動時には、第２仕切板１００が軸方向に相対変位することで、その隙間が第２仕切板１００によって塞がれる。そのため、オリフィス２５による高減衰性能を確保できる。
【００４５】
以上、実施の形態に基づき本発明を説明したが、本発明は上記実施の形態に何ら限定されるものではなく、本発明の趣旨を逸脱しない範囲内で種々の改良変形が可能であることは容易に推察できるものである。例えば、第１仕切板６０や第２仕切板７０，９０，１００の形状や凹部５６の数や大きさ等は、実施の形態に記載したものに限定されず、適宜設定できる。
【００４６】
上記各実施の形態では、第２仕切板７０，９０，１００に連結部７３を設け、第１仕切板６０に形成された嵌合凹部６３に連結部７３を挿入して第１仕切板６０と第２仕切板７０，９０，１００とを連結する場合について説明したが、必ずしもこれに限られるものではない。例えば、第２仕切板７０，９０，１００に嵌合凹部を形成し、第１仕切板６０に連結部を設け、第２仕切板７０，９０，１００の嵌合凹部に第１仕切板６０の連結部を挿入して、第１仕切板６０と第２仕切板７０，９０，１００とを連結することは当然可能である。また、連結部７３に代えて第２仕切板７０，９０，１００に凹部を形成し、第１仕切板６０や第２仕切板７０，９０，１００とは別の部材（連結部）を用い、別の部材（連結部）を凹部に挿入して第１仕切板６０と第２仕切板７０，９０，１００とを連結することは当然可能である。
【００４７】
上記各実施の形態では、自動車のエンジンを弾性支持するエンジンマウントとして液封入式防振装置１０を用いる場合について説明したが、必ずしもこれに限られるものではない。ボディマウント、デフマウント等、任意の振動体の振動を抑制する防振装置に液封入式防振装置１０を適用することは当然可能である。
【００４８】
上記各実施の形態では説明を省略したが、弾性膜５０を軸方向へ往復動するアクチュエータを配置した能動型防振装置に仕切体３０，８０，８１を適用することは当然可能である。
【００４９】
上記各実施の形態では、仕切体３０，８０，８１によって第１液室２３及び第２液室２４が形成され、第１液室２３と第２液室２４との間がオリフィス２５によって接続される液封入式防振装置について説明したが、必ずしもこれに限られるものではない。例えば、要求される防振性能に応じて、第１液室２３と第２液室２４との間を接続するオリフィスを追加することは当然可能である。また、第１液室２３及び第２液室２４に加え、さらに１乃至複数の副液室を有する構成とすることは当然可能である。この場合には、第１液室２３、第２液室２４及び副液室の内の２つの液室間を、オリフィス２５以外の他の１乃至複数のオリフィスによって連通させることができる。
【００５０】
上記各実施の形態では説明を省略したが、弾性膜５０の壁面５１，５２、第１仕切板６０及び第２仕切板７０，９０，１００の形状、連結部７３の長さ等を設定することにより、第１仕切板６０と第２仕切板７０，９０，１００とを連結するときに、第１仕切板６０及び第２仕切板７０，９０，１００を弾性膜５０の壁面５１，５２に押し付け、弾性膜５０の一部を軸方向へ予圧縮することは当然可能である。これにより、仕切体３０，８０，８１（弾性壁５０）のばね定数や弾性壁５０の変形し易さ等を調整できる。
【符号の説明】
【００５１】
１０  液封入式防振装置
１１  第１取付具
１３  第２取付具
１７  防振基体
２０  ダイヤフラム
２３  第１液室（液室の一部）
２４  第２液室（液室の一部）
２５  オリフィス
３０，８０，８１  仕切体
３１  オリフィス形成部材
５０  弾性壁
６０  第１仕切板
６５  第１接触部
７０，９０，１００  第２仕切板
７３  連結部
７４，９２，１０２  第２接触部
１０３  周辺部
【図１】
0006604825.tif 000002
【図２】
0006604825.tif 000003
【図３】
0006604825.tif 000004
【図４】
0006604825.tif 000005
【図５】
0006604825.tif 000006
【図６】
0006604825.tif 000007
【図７】
0006604825.tif 000008
【図８】
0006604825.tif 000009